(57)【要約】【課題】  切削粉や打ち抜きによる破片の処理が必要なく、しかも補強材の挿入にともなって補強材の挿入口にめり込み部が形成されて補強材が強固に固定される合成樹脂製中空体を提供する。【解決手段】  合成樹脂製中空体であるデッキボード１は、熱可塑性合成樹脂のブロー成形により表壁２、裏壁３の対向壁を離隔してその側端壁４を互いに溶着して中空部５を形成し、内部に補強材６を挿入してなるものである。補強材の挿入口７を側端壁４に切り込みによって開ける。補強材の挿入口７を側端壁４に開ける切り込みの形状は側端壁４と一部が連続状であり、補強材６の挿入時には、一部が折り曲げられるようになっている。【選択図】    図１
2006205686.tif 000002
【特許請求の範囲】
【請求項１】
熱可塑性合成樹脂のブロー成形により一対の対向壁を離隔してその側端壁を互いに溶着して中空部を形成し、内部に補強材を挿入してなる合成樹脂製中空体において、
補強材の挿入口を側端壁に、切り込みによって開けることを特徴とする合成樹脂製中空体。
【請求項２】
熱可塑性合成樹脂のブロー成形により一対の対向壁を離隔してその側端壁を互いに溶着して中空部を形成し、内部に補強材を挿入してなる合成樹脂製中空体において、
補強材の挿入口を側端壁に開ける切り込みの形状は側端壁と一部が連続状であり、補強材挿入時には、一部が折り曲げられることを特徴とする合成樹脂製中空体。
【請求項３】
補強材の壁厚方向および幅方向の位置を規制する手段を設けたことを特徴とする請求項１または２記載の合成樹脂製中空体。
【請求項４】
補強材挿入時、補強材が折り曲げられた壁片で保持されることを特徴とする請求項１または２記載の合成樹脂製中空体。
【請求項５】
補強材の挿入口の切り込みは、削りなどの切粉の発生する加工ではない、打ち抜き加工を特徴とする請求項１、２記載の合成樹脂製中空体の補強材挿入口加工方法。
【請求項６】
補強材は角パイプであり、補強材の挿入口の切り込み形状はＩ型、コの字形、バツ（×）形であることを特徴とする請求項１または２記載の合成樹脂製中空体の補強材挿入口加工方法。
【発明の詳細な説明】
【技術分野】
【０００１】
本発明は、熱可塑性合成樹脂のブロー成形により一対の対向壁を離隔してその側端壁を互いに溶着して中空部を形成し、内部に補強材を挿入してなる合成樹脂製中空体および合成樹脂製中空体の補強材挿入口加工方法に関するものである。
【背景技術】
【０００２】
熱可塑性合成樹脂のブロー成形により一対の対向壁を離隔してその周囲壁を互いに溶着して中空部を形成し、内部に補強材を挿入した合成樹脂製中空体は、実用新案登録第２５３８５１３号公報に記載されている。また、直線状に連続する空洞部を成形品本体と一体にブロー成形するとともに、成形品本体を補強するため補強用のパイプ材を空洞部の内部に挿通固定するブロー成形品の補強構造は、特許第３４７２４６０号公報に記載されている。
【特許文献１】実用新案登録第２５３８５１３号公報
【特許文献２】特許第３４７２４６０号公報
【発明の開示】
【発明が解決しようとする課題】
【０００３】
ところで、補強材を挿入した合成樹脂製中空体の製造方法として、中空体をブロー成形した後、その後加工によって補強材の挿入口を加工する場合には、補強材が断面丸形状であれば、一般に挿入口の加工はドリルによる穿孔加工で実施されるが、この穿孔加工によれば削りによる切粉が発生する。そして、この切粉は中空体の内部に入り込むために、取り除くのに非常に手間がかかる。また、丸形状以外でも、中空体に補強材の挿入口を打ち抜くと、その打ち抜いた破片が中空体の内部に入り込む可能性があってその処理に同様に手間がかかる。
【０００４】
そこで本発明は、補強材の挿入口を削り加工や打ち抜き加工によらず切り込みで施すことにより、切削粉や打ち抜きによる破片の処理が必要なく、しかも補強材の挿入口を側端壁に切り込みによって開けることにより、補強材の挿入にともなって補強材挿入口にめり込み部が形成されて中空体に補強材が強固に固定される合成樹脂製中空体および合成樹脂製中空体の補強材挿入口加工方法を提供することを目的とするものである。
【課題を解決するための手段】
【０００５】
本発明は、前記目的を達成するため請求項１ないし４に係る合成樹脂製中空体、ならびに請求項５および６に係る合成樹脂製中空体の補強材挿入口加工方法を提供する。
【０００６】
請求項１に係る合成樹脂製中空体は、熱可塑性合成樹脂のブロー成形により一対の対向壁を離隔してその側端壁を互いに溶着して中空部を形成し、内部に補強材を挿入してなる合成樹脂製中空体において、補強材の挿入口を側端壁に、切り込みによって開けることを特徴とするものである。
【０００７】
請求項２に係る合成樹脂製中空体は、熱可塑性合成樹脂のブロー成形により一対の対向壁を離隔してその側端壁を互いに溶着して中空部を形成し、内部に補強材を挿入してなる合成樹脂製中空体において、補強材の挿入口を側端壁に開ける切り込みの形状は側端壁と一部が連続状であり、補強材挿入時には、一部が折り曲げられることを特徴とするものである。
【０００８】
請求項３に係る合成樹脂製中空体は、請求項１または２記載の構成において、補強材の壁厚方向および幅方向の位置を規制する手段を設けたことを特徴とするものである。
【０００９】
請求項４に係る合成樹脂製中空体は、請求項１または２記載の構成において、補強材挿入時、補強材が折り曲げられた壁片で保持されることを特徴とするものである。
【００１０】
請求項５に係る補強材挿入口加工方法は、請求項１または２記載の合成樹脂製中空体において、補強材の挿入口の切り込みは、削りなどの切粉の発生する加工ではない、打ち抜き加工を特徴とするものである。
【００１１】
請求項６に係る補強材挿入口加工方法は、請求項１または２記載の合成樹脂製中空体において、補強材は角パイプであり、補強材の挿入口の切り込み形状はＩ型、コの字形、バツ（×）形であることを特徴とするものである。
【発明の効果】
【００１２】
本発明によれば、補強材の挿入口を削り加工や打ち抜き加工によらず切り込みで施すことにより、切削粉や打ち抜きによる破片の処理が必要なく、しかも補強材の挿入口を側端壁に切り込みによって開けることにより、補強材の挿入にともなって補強材の挿入口にめり込み部が形成されて中空体に補強材が強固に固定される合成樹脂製中空体を得ることができる。
【発明を実施するための最良の形態】
【００１３】
図面には本発明に係る合成樹脂製中空体として自動車荷室のデッキボードを例示している。１はデッキボードであり、このデッキボード１は、図２に示すように、表壁２に対して裏壁３を間隔をおいて対向させ、かつ側端壁４によって表壁２および裏壁３との間に中空部５を形成してなるものである。
【００１４】
デッキボード１は、側端壁４の一方の端面から他方の端面方向に補強材６が挿入されている。この補強材６は真っ直ぐな角パイプである。上記一方の端面には補強材の挿入口７が設けられており、補強材６は一方の端面の補強材挿入口７から挿入する。デッキボード１には位置決めのためのリブ８が形成されていて、補強材６は中空部５内でリブ８に支持されるようになっている。
【００１５】
デッキボード１の一方の端面には、図５に示すように、Ｉ型、コの字形または斜交い状のバツ（×）形の切り込み９、１０、１１が形成される。そして、補強材の挿入口７を側端壁４に開ける切り込みの形状は側端壁４と一部が連続状であり、Ｉ型の切り込み９の場合には、角パイプの補強材６を挿入すると、図４に示すように、補強材の挿入口７にめり込み部１２，１２が形成されて補強材６が折り曲げられた壁片４ａで保持されるので、デッキボード１の側端壁４の一方の端面に補強材６が強固に固定される。１３はインナーリブ、１４は表皮である。
【００１６】
上述のように、補強材の挿入口７は、ドリルによる穿孔加工や打ち抜き加工によらない切り込みであるから、削りなどの切粉や破片などが発生しない。したがって、切粉や破片などの面倒な処理を要しない。
【００１７】
本発明に係る合成樹脂製中空体であるデッキボード１は、ＡＢＳ樹脂、変性ポリフェニレンオキサイド樹脂、ポリカーボネート樹脂、ポリアミド樹脂、ポリプロピレン樹脂、ポリエチレン樹脂等、ブロー成形可能な熱可塑性樹脂で構成される。また、補強材６は金属製であり、必要に応じて表面の滑り性を良くするため、メッキなどの表面処理を施すものとする。
【００１８】
図６において、１５は自動車、１６は荷室、１７は収納部である。本発明に係る合成樹脂製中空体からなるデッキボード１は収納部１５の蓋であって前後方向に抜き差し自在である。
【図面の簡単な説明】
【００１９】
【図１】本発明に係る中空体からなるデッキボードの一部を示す斜視図である。
【図２】同上一部の断面図である。
【図３】図１に示すデッキボードに補強材を挿入する前の状態を示す一部の斜視図である。
【図４】補強材の挿入口に補強材を挿入した応対の断面図である。
【図５】補強材の挿入口の３態様を示すそれぞれの正面図である。
【図６】本発明に係る合成樹脂製中空体である自動車荷室のデッキボードを自動車の荷室に備えた例を示す斜視図である。
【符号の説明】
【００２０】
１  デッキボード
２  表壁
３  裏壁
４  側端壁
４ａ  壁片
５  中空部
６  補強材
７  補強材挿入口
８  リブ
９、１０、１１  切り込み
１２，１２  めり込み部
１３  インナーリブ
１４  表皮
１５  自動車
１６  荷室
１７  収納部
【図１】
2006205686.tif 000003
【図２】
2006205686.tif 000004
【図３】
2006205686.tif 000005
【図４】
2006205686.tif 000006
【図５】
2006205686.tif 000007
【図６】
2006205686.tif 000008